(57)【要約】  【課題】  レールの設定替のレール緊張操作時に、レールの長手方向や上下方向の動きに対応してレールの転倒を防止し、レールに損傷を与えることのないレール転倒防止器を提供する。  【解決手段】  枕木ｂに着脱自在に止着する台枠１に支持部片２を立設し、該支持部片２の上端に横設した筒体３に、レールＲの荷重を受ける受圧杆５を組付ける。そして、受圧杆５の先端に、球面状の奥壁１６ａを備えた保持穴１６を設け、該保持穴１６に、前記レールＲの側面Ｒａに接して転動する球体４を転動自在に保持させる。【選択図】    図１
2010203212.tif 000002
【特許請求の範囲】
【請求項１】
枕木に着脱自在に止着する台枠に支持部片を立設し、該支持部片の上端に横設した筒体に、レールの荷重を受ける受圧杆を組付け、該受圧杆の先端に、前記枕木上のレールの側面に接して転動する受圧子を備えて成り、前記受圧子を球体で構成した、レール転倒防止器。
【請求項２】
受圧杆の先端に、球面状の奥壁を備えた保持穴を設け、該保持穴に球体を転動自在に保持させた、請求項１記載のレール転倒防止器。
【発明の詳細な説明】
【技術分野】
【０００１】
本発明は、枕木に着脱自在に止着する（直接又は間接的に）台枠に、支持部片を立設し、該支持部片の上端に横設した筒体に、受圧杆を組付け、該受圧杆の先端に、前記枕木上のレールの側面に接する転子を設けて、レール設定替操作時にレール転倒方向の荷重を受けるようにしてレールの転倒を防ぐようにしたレール転倒防止器に関するものである。
【背景技術】
【０００２】
前記構成の転倒防止器は、レールの設定替に際し、緊張器による緊張によってレールが転倒するのを防止するため、レールの長手方向の適所（殊にレールの曲部近傍）に固定的に配置し、転子であるローラ（転動輪）をレール側面に当接させてレール転倒方向の荷重を受けると共に、緊張操作によるレールの長手方向の移動に対処するようにしている（例えば、特許文献１）。
【先行技術文献】
【特許文献】
【０００３】
【特許文献１】特許第２７５４４２５号公報
【発明の概要】
【発明が解決しようとする課題】
【０００４】
前記従来構造のものは、緊張器の緊張操作によって、レールが長手方向に移動（延び）するときは問題ないが、前記の緊張操作時に、レールに対して上下方向（高さ方向）の力が負荷される場合、軸回転するローラに対して回転方向に対して交差する方向の外力が負荷され、その結果、レールの転倒を防ぐには問題がないとしても、ローラの踏面がレールの側面をこすり、レールに対して多大な損傷を与えることがある。
【０００５】
本発明は、斯様な常況に着目し、レールの設定替のレール緊張操作時に、レールの長手方向や上下方向の動きに対処して、レールの転倒を防ぐことは勿論、レールに損傷を与えることのないレール転倒防止器を提供すべく創案したものである。
【課題を解決するための手段】
【０００６】
枕木に着脱自在に止着する台枠に支持部片を立設し、該支持部片の上端に横設した筒体に、レールの荷重を受ける受圧杆を組付け、該受圧杆の先端に、前記枕木上のレールの側面に接して転動する受圧子を保持させ、該受圧子を球体で構成したことを基本的手段とし、この基本的手段に、球体の保持手段としては、具体的に前記受圧杆の先端に、球面状の奥壁を備えた保持穴を設け、該保持穴に球体を、一部を突出させて転動自在に保持させる、具体的な保持手段を付加することにより、球体が円滑に転動するようにしてレールの側面を損傷させることのない、レール転倒防止器を提供できるのである。
【発明の効果】
【０００７】
本発明によれば、緊張器による緊張に伴って、レールが、長手（横）方向や高さ（縦）方向いずれの方向に移動しても、該レールの荷重を受けて球体は転動し、従って、レールの受圧子である球体の接触による損傷をすることなく、レールの転倒を防ぐことができる。
【０００８】
また、球体は、球面状の奥壁を備えた保持穴に保持されるものであるから、レールの圧接に対応して球体は円滑に転動し、レールの緊張操作を支障なく行うことができる。
【図面の簡単な説明】
【０００９】
【図１】一部欠截側面図。
【図２】図１の一部欠截平面図。
【図３】受圧杆の斜視図。
【図４】受圧杆の一部拡大断面図。
【図５】レールに装置した状態の平面図。
【実施例】
【００１０】
図面は本発明に係るレール転倒防止器の一実施例を示し、図示Ａは転倒防止器で、転倒防止器Ａは、上部片１ａの両側に脚部片１ｂ，１ｂを相対設した台枠１の上部片１ａに支持部片２を立設し、該支持部片２の上端に横設した筒体３に、先端にレールＲの側（腹）面Ｒａに接する球体４を転動自在に保持した受圧杆５を組付け、この受圧杆５を、前記筒体３に設けたナット材３ａ螺合した締付けボルト７で押圧して、前記球体４の前記側面Ｒａに対する接触状態を保持し、その荷重を受けるようにしたものである。
【００１１】
そして、台枠１の脚部片１ｂ，１ｂの下縁に設けた上下の段部８，８´の何れかを、枕木（ＰＣ枕木）ｂに設けた受部９又は９´で受止め、係止させ（段部８，８´は、そのいずれかが枕木ｂに設けた受部９又は９´に係止するように脚部片１ｂの下縁に設けてある）、台枠１の上部片１ａの中央先端部に設けた切欠１０に固定ボルト１１を上方から挿通させて枕木ｂに設けたボルト穴２０に螺合、締付けて台枠１を枕木ｂに固定し、該台枠１の上に横設した筒体３に先端側から嵌挿した受圧杆５の後端に、筒体３の後端側に螺合した調整ボルト７の先端を接触させ、該調整ボルト７の締付けで受圧杆５の先端に設けた球体４を前進させて、球体４をレール側面Ｒａに接触させて、受止め状態位置を設定し（設定位置は、筒体３に半径方向に螺合し、先端が受圧杆５の側面に軸線方向に沿わせて相対して凹設し、しかも、後端の周溝１２ｂによって互いに連通する案内溝１２ａ，１２ａの一方に係合させた締付けねじ２２の締付けによって維持される）、レールＲの所謂小返りを防止するものである。
【００１２】
前記受圧杆５は、前記溝１２ａ，１２ｂを設けた杆主体１３Ａの先端に偏心板１４を設け、該偏心板１４に、前記杆主体１３Ａと偏心させた保持杆１５を備えて成り、保持杆１５の先端に、奥壁１６ａを球面状とした保持穴１６を設け、該保持穴１６に前記球体４を、その一部が保持穴１６より突出するように転動自在に嵌合し、保持穴１６の開口端側の内壁に設けた周溝１７に第一リング１８を嵌着して保持穴１６からの離脱を防ぐようにして保持させてある（この保持手段は実施例の構造に限定する必要はなく、要は、保持杆の先端に一部が突出するように転動自在に球体４を保持させてあれば良い）。
【００１３】
球体４を保持した保持杆１５を杆主体１３Ａに対して偏心させてあるのは、杆主体１３Ａの先端に設けた偏心板１４に突設した保持杆１５の先端の球体４を、レールＲの種類（実施例の場合は５０ｋｇＮと６０ｋｇレールのいずれか）に対応して適合する位置となるように、筒体３内で案内溝１２ａ及び周溝１２ｂを利用して受圧杆５を反転させて球体４位置を選択するようにしたもので、要は一種類のレール転倒防止器で高さの異なる５０ｋｇＮと６０ｋｇレールのいずれにも適用して当該レールの転倒防止を行える構造のものを得るためである（この点は公知）。
【００１４】
もっとも、本発明の実施に当っては５０ｋｇＮや６０ｋｇレールに限らず、球体を他の種のレールに対応できるように配して当該他の種のレールに適用するようにしても不都合がないことは勿論である。
【符号の説明】
【００１５】
１          台枠
２          支持部片
３          筒体
４          球体
５          受圧杆
１６        保持穴
１６ａ      奥壁
ｂ          枕木
Ｒ          レール
Ｒａ        レール側面
【図１】
2010203212.tif 000003
【図２】
2010203212.tif 000004
【図３】
2010203212.tif 000005
【図４】
2010203212.tif 000006
【図５】
2010203212.tif 000007